(57)【要約】      （修正有）【課題】搬送後における搬送用部材を処分する必要が無く、保管、取り扱いが容易な広告用スタンドを提供する。【解決手段】板状体の１つの面が広告用表面部となる広告用部材２と、折畳み可能な板状体からなり折り畳むことによって広告用部材２を内包する搬送表面部材となるとともに搬送後に広告用部材２の支持部材となる搬送支持部材１とからなり、搬送支持部材１は、搬送用折り線部３とスタンド用折り線部４を有し、搬送時には搬送用折り線部３から折り畳んで広告用部材２をその間に挟んで内包する搬送表面部材となり、広告時には、スタンド用折り線部４から折り曲げて広告用部材２と組み合わせて多角筒状体に組み上げ、広告用部材２を立設させるための支持部材となる。【選択図】図２
2009069601.tif 000002
【特許請求の範囲】
【請求項１】
折畳み可能な板状体からなり板状体の１つの面が広告用表面部となる広告用部材と、折畳み可能な板状体からなり折り畳むことによって広告用部材を内包する搬送表面部材となるとともに搬送後に広告用部材の支持部材となる搬送支持部材とからなることを特徴とする広告用スタンド。
【請求項２】
折畳み可能な板状体からなり板状体の１つの面が広告用表面部となる広告用部材と、折畳み可能な板状体からなり折り畳むことによって広告用部材を内包する搬送表面部材となるとともに搬送後に広告用部材の支持部材となる搬送支持部材とからなり、
搬送支持部材は、搬送用折り線部とスタンド用折り線部を有し、
搬送時には搬送用折り線部から折り畳んで広告用部材をその間に挟んで内包する搬送表面部材となり、
広告時には、スタンド用折り線部から折り曲げて広告用部材と組み合わせて多角筒状体に組み上げ、広告用部材を立設させるための支持部材となることを特徴とする広告用スタンド。
【請求項３】
多角筒状体が、三角筒状体である請求項１又は請求項２に記載の広告用スタンド。
【請求項４】
搬送支持部材が、少なくとも広告時の下端部となる端辺部に折畳み部を設けるとともに、それぞれの折畳み部はスタンド用折り線部の位置で切れているとともに、折畳み折り線部が、両側辺との成す角度を８９度乃至８０度の鋭角とした直線からなる折畳み折り線部である請求項３に記載された広告用スタンド。
【発明の詳細な説明】
【技術分野】
【０００１】
この発明は、広告用スタンドに関する。詳細には搬送時に表面になるダンボール等の素材を、広告時には折って広告用部材を立設する支持部材として利用する広告用スタンドに関する。
【背景技術】
【０００２】
広告用スタンドとしては、１つの長方形の板状体の一面に印刷等が成された広告面部材と、この広告面部材を立てるための支持部材として後面に立設時の平面視Ｔ字形になる部材を有していた。
【０００３】
このような広告用スタンドは、支持部材が予め広告用部材に取り付けられたものは折畳み、又は広告時に取り付けて組み立てるものは一緒に重ねて何層かの板状体にし、搬送時にはダンボールからなる搬送用部材で包み、全ての表面を覆い梱包し宛名書きなどを貼付して搬送していた。
【０００４】
そして、広告スタンドとして展示する場所において、搬送中の外装部材であるダンボールを開放し、内包されている広告用部材を取出し、折られていた支持部材を立設時の平面視Ｔ字形となるように折り曲げ又は取り付けて、広告用部材の表面を後側から支持して広告用スタンドとして使用していた。
【発明の開示】
【発明が解決しようとする課題】
【０００５】
一般的にダンボール等の素材からなる広告用スタンドは、短期間で次々と新たなものが使用される傾向にある。そして、従来技術であると頻繁に繰り返される搬送作業には広告用スタンドとは別体で、ダンボール等の搬送用部材が必要であった。搬送時には通常ダンボール等の搬送用部材の間に広告用スタンドの各部材である広告用部材と支持部材を折り畳んだり、重ねたりして内包する作業が必要であった。
【０００６】
更に、搬送後に使用が終わった搬送用部材は、比較的大きなダンボール等の素材であるため廃棄処分に時間や場所が必要になり、資源の無駄が多くでる課題があった。
【０００７】
更に又、従来のように広告用部材を立てるためにスタンド時は、後面に平面視Ｔ字形状の支持部材を設ける必要があり、その支持部材の製造、取り付け、梱包、組み立て等の作業が必要であった。
【課題を解決するための手段】
【０００８】
上記課題を解決するために、折畳み可能な板状体からなり板状体の１つの面が広告用表面部となる広告用部材と、折畳み可能な板状体からなり折り畳むことによって広告用部材を内包する搬送表面部材となるとともに搬送後に広告用部材の支持部材となる搬送支持部材とからなることを特徴とする広告用スタンドを提案する。
【０００９】
また、折畳み可能な板状体からなり板状体の１つの面が広告用表面部となる広告用部材と、折畳み可能な板状体からなり折り畳むことによって広告用部材を内包する搬送表面部材となるとともに搬送後に広告用部材の支持部材となる搬送支持部材とからなり、
搬送支持部材は、搬送用折り線部とスタンド用折り線部を有し、
搬送時には搬送用折り線部から折り畳んで広告用部材をその間に挟んで内包する搬送表面部材となり、
広告時には、スタンド用折り線部から折り曲げて広告用部材と組み合わせて多角筒状体に組み上げ、広告用部材を立設させるための支持部材となることを特徴とする広告用スタンドを提案する。
【００１０】
更に、多角筒状体が、三角筒状体である０００８欄又は０００９欄に記載の広告用スタンドを提案する。
【００１１】
更に又、搬送支持部材が、少なくとも広告時の下端部となる端辺部に折畳み部を設けるとともに、それぞれの折畳み部はスタンド用折り線部の位置で切れているとともに、折畳み折り線部が、両側辺との成す角度を８９度乃至８０度の鋭角とした直線からなる折畳み折り線部である００１０欄に記載された広告用スタンドを提案する。
【発明の効果】
【００１２】
この発明によれば、搬送用部材を支持部材として使用するため、従来のように広告用部材を搬送時に保護する搬送専門の部材が不要になるため、従来のように搬送後における搬送用部材を処分する必要が無くなったので、その廃棄や保管、取り扱いに費やす作業がなくなり作業効率が非常に向上する。
【００１３】
更に、従来に比し紙資源を効率的に使えるため地球環境に寄与することができる。
【００１４】
更に又、広告用部材の他に支持部材を製造したり取り付けたり、折り曲げたりする作業が無くなり作業効率が非常に向上した。
【００１５】
また、請求項３に係る発明であると、広告時のスタンドの底面が３角形のため安定する効果がある。更に請求項４に係る発明であるとスタンド時に三角筒状体が前面である広告面に対してやや後傾した状態で立てることができるため、より安定した状態を保つことができる。
【発明を実施するための最良の形態】
【００１６】
次ぎに、この発明の実施形態である広告用スタンドについて、組み立てられた三角筒状体である広告スタンドの斜視図である図１、同じく搬送されてきた広告用スタンドを開封して広告用スタンドを立てる作業の手順を示す説明図である図２乃至図８、折畳み部の拡大説明図である図９に基づいて説明する。
【００１７】
この発明の１つの実施形態である広告用スタンドは、搬送表面部材となるとともに搬送後に広告用部材の支持部材となる搬送支持部材１と、広告用部材２とからなる。
【００１８】
搬送支持部材１は、折畳み可能な素材からなり、この実施形態ではダンボールからなる長方形の板状体であり、１つの面に宛名書き１１や注意書きなどを貼付したりする搬送用表面部１ｂとし、その裏面はダンボール表面のままの広告時表面部１ａとする。搬送支持部材１は、広告時表面部１ａ側に、搬送用折り線部３と、スタンド用折り線部４と、折畳み部５と、付加展示部材係止部６とを有する。
【００１９】
搬送支持部材１は、長手方向の中央線として１つの搬送用折り線部３を有し、短手方向の中央線として１つのスタンド用折り線部４を有する。搬送支持部材１は、スタンド用折り線部４で折ることによりスタンド用折り線部４を内角とする三角筒状体の後二側面パネルとして形成される。
【００２０】
搬送支持部材１は、長手方向の両端辺に折畳み部５を設けてある。それぞれの折畳み部５は、スタンド用折り線部４の位置で切れており、それぞれが別々に折りたためる。。折畳み部５は、折畳み折り線部５０で折り曲げられるが、折畳み折り線部５０は、図９に示すように両側辺との成す角度を鋭角に形成しており、この実施形態では８９度乃至８０度の鋭角である。折畳み部５は、折畳み部５を折畳み折り線部５０から折って接着固定するために折畳み折り線部５０より中央部側に折畳み固定部５１をそれぞれ設けている。折畳み固定部５１は、この実施形態では両面テープである。
【００２１】
搬送支持部材１は、長方形の側辺の適宜位置に凹部からなる付加展示部材係止部６を有しており、スタンド時に付加展示部材６０を挿入して係止することができる。
【００２２】
広告用部材２は、ダンボールからなる長方形の板状体であり、少なくとも１つの面に映画広告用のプリントなどを貼ってなる広告用表面部２ａとして形成し、広告用表面部２ａの裏面はダンボール表面の内面部２ｂとする。
【００２３】
広告用部材２は、長手方向の中央線として搬送用折り線部２０を有し、短手方向の両端辺に折り曲げ可能な接着部２１を設ける。接着部２１には両面テープを設けている。広告用部材２は、搬送支持部材１と組み合わせて広告スタンド時には三角筒状体の前側面パネルとなるため長方形の幅は、搬送支持部材１の幅の１／２前後である。広告用部材２は、長方形の側辺の搬送支持部材１の付加展示部材係止部６に対応する位置に凹部からなる付加展示部材係止部２２を有しており、スタンド時に付加展示部材６０を挿入して係止することができる。
【００２４】
次に、この発明の実施形態につき搬送作業の手順を説明する。
【００２５】
搬送作業は、搬送支持部材１を搬送用表面部１ｂを外側に位置させ、スタンド表面部１ａを内側に位置させるように搬送用折り線部３で折る。広告用部材２も搬送用折り線部６で折るが広告用部材２は広告用表面部２ａを外側にして折っても内側にして折ってもよい。
【００２６】
広告用部材２は、搬送支持部材１の幅の１／２程度であり、長さは略同じであるが搬送支持部材１の折畳み部５の分だけ短い。したがって広告用部材２を搬送用折り線部６で折ると搬送支持部材１が搬送用折り線部３で折った内部に長さ方向では折畳み部５の余裕を持って挟まれ、その間から飛び出ることはない。
【００２７】
搬送支持部材１の搬送用折り線部３で折った間に搬送用折り線部６で折った広告用部材２を挟み入れた後、搬送支持部材１の三つの開口辺を接着テープで接着して固定する。これで搬送物が完成する。搬送物は搬送支持部材１の搬送用表面部１ｂに宛名書き１１や注意書きを貼付したり宛先を書いたりして搬送される。搬送物は上下の表面が、搬送支持部材１の搬送用表面部１ｂとなるため、搬送時に傷が付いたり書き物をしてもかまわない。また内側に保護されているスタンド表面部１ａは保護されている。
【００２８】
次に、この発明の実施形態につき搬送後に開封して広告用スタンドを組み立てる作業手順については図２乃至図８にしたがって説明する。図２は、搬送時に搬送支持部材１の三つの開口辺を接着していた接着テープを切って、搬送支持部材１を開き、挟まっていた広告用部材２を取り出す。
【００２９】
搬送支持部材１は、図２の状態から上下面を裏返して図３に示すように搬送用表面部１ｂを上側にする。次に図４に示すように長手方向の両端辺のそれぞれの折畳み部５を折畳み折り線部５０から上側（筒状体の内側）へ折畳み、折畳み部５の搬送用表面部１ｂ同士を折畳み固定部である両面テープ５１によって貼り付けて固定させる。この折畳み部５の折畳みによって搬送支持部材１の長手方向長さは、広告用部材２の長手方向長さと同じになる。
【００３０】
板状体の長手方向両端部にある折畳み部５は、それぞれスタンド用折り線部４の部分で切れており、四カ所で別々に折りたたむ。それぞれの折畳み部５は、折畳み折り線部５０で折り曲げられるが、折畳み折り線部５０は、図９に示すように両側辺との成す角度を８９度乃至８０度の鋭角に形成しているため、広告用部材２と組み合わせて三角筒状体を形成した場合、支持部材として上面部及び底面部１ｃとなる部分が、前面の広告用部材２に対してやや後傾する。
【００３１】
次に図５に示すように搬送支持部材１をスタンド用折り線部４で搬送用表面部１ｂ側へ折って、スタンド表面部１ａを外側に位置させ、搬送用表面部１ｂを内側に位置させる。
【００３２】
広告用部材２は、図６に示すように折られていた搬送用折り線部２０を開き一枚の長方形板とし、短手方向の両端片にある接着部２１を内面部２ｂ側へ折る。
【００３３】
広告用部材２は、折り曲げられた接着部２１を、搬送支持部材１の短手方向両端辺部の外側に合わせて両面テープや接着剤で固定し、広告用表面部２ａを表面とした三角筒状体を組み上げる。
【００３４】
この三角筒状体は、広告用部材２の広告用表面部２ａを表面とし、スタンド用折り線部４で約６０度くらいに折り曲げた二面からなる搬送支持部材１を後部の支持部材としてなる。形成される三角筒状体の端面を上面部及び底面部１ｃとし図１に示すように立て広告用スタンドとして設置する。このとき、前述したように三角筒状体は、底面部１ｃは折畳み部５の折畳み折り線部５０が、両側辺と成す角度が鋭角なためやや後傾して立つ。したがって広告用部材２の重さや風などがあっても、前に倒れにくい作用を有する。
【産業上の利用可能性】
【００３５】
この発明は、広告用スタンドとして利用される。特に映画等の比較的短期間で変更される産業の簡易広告スタンドとして利用される。
【図面の簡単な説明】
【００３６】
【図１】この発明の実施形態である広告用スタンドの組み立てられた広告スタンドの斜視図
【図２】同じく搬送されてきた広告用スタンドを開封して広告用スタンドを立てる作業の手順を示す説明図
【図３】同じく搬送されてきた広告用スタンドを開封して広告用スタンドを立てる作業の手順を示す説明図
【図４】同じく搬送されてきた広告用スタンドを開封して広告用スタンドを立てる作業の手順を示す説明図
【図５】同じく搬送されてきた広告用スタンドを開封して広告用スタンドを立てる作業の手順を示す説明図
【図６】同じく搬送されてきた広告用スタンドを開封して広告用スタンドを立てる作業の手順を示す説明図
【図７】同じく搬送されてきた広告用スタンドを開封して広告用スタンドを立てる作業の手順を示す説明図
【図８】同じく搬送されてきた広告用スタンドを開封して広告用スタンドを立てる作業の手順を示す説明図
【図９】折畳み部の拡大説明図
【符号の説明】
【００３７】
１  搬送支持部材
１ａ  スタンド表面部
１ｂ  搬送用表面部
１ｃ  底部
１０  側辺
１１  宛名書き等
２  広告用部材
２ａ  広告用表面部
２ｂ  内面部
２０  搬送用折り線部（広告用部材）
２１  接着部
２２  付加展示部材係止部（広告用部材）
３  搬送用折り線部（搬送支持部材）
４  スタンド用折り線部（搬送支持部材）
５  折畳み部
５０  折畳み折り線部
５１  折畳み固定部
６  付加展示部材係止部（搬送支持部材）
６０  付加展示部材
【図１】
2009069601.tif 000003
【図２】
2009069601.tif 000004
【図３】
2009069601.tif 000005
【図４】
2009069601.tif 000006
【図５】
2009069601.tif 000007
【図６】
2009069601.tif 000008
【図７】
2009069601.tif 000009
【図８】
2009069601.tif 000010
【図９】
2009069601.tif 000011